(57)【要約】【課題】受信したファクシミリの出力、転送などの所定の処理を、受信側で遠隔操作により指示して行わせるとともに、処理条件の流動的な変更に対応することができる。【解決手段】ファクシミリによる通信手順に従って外部装置４２との通信を行う通信手段としてのファクシミリ通信部１２と、前記通信手段で受信された前記外部装置４２からのファクシミリ通信データを復号化して画像データおよび通信制御データを取り出すデータ処理部１４と、画像データ処理部１４で得られた画像データを、当該画像データに対応する識別データに対応付けて格納する画像メモリ１８と、データ処理部１４で通信制御データが得られた際に、予め設定された電子メールアドレスに送信するための、ファクシミリ通信データを受信した旨および画像データの識別データを通知し、当該画像データの処理形式の設定を促す確認電子メールを作成する制御部１６を有する。【選択図】  図１
2004172757.tif 000002
【特許請求の範囲】
【請求項１】
ファクシミリによる通信手順に従って外部装置との通信を行う通信手段と、
前記通信手段で受信された前記外部装置からのファクシミリ通信データを復号化して画像データおよび通信制御データを取り出すデータ処理手段と、
前記画像データ処理手段で得られた画像データを、当該画像データに対応する識別データに対応付けて格納する記憶手段と、
前記画像データに基づいて画像を形成し、出力する画像出力手段と、
前記データ処理手段で通信制御データが得られた際に、予め設定された電子メールアドレスに送信するための、ファクシミリ通信データを受信した旨および画像データの識別データを通知し、当該画像データの処理形式の設定を促す確認電子メールを作成する確認電子メール作成手段と、
前記確認電子メールを所定の外部端末に送信するとともに、該外部端末からの画像データの処理形式に関する指示を含む指示電子メールを受信する送受信手段と、
前記外部端末からの指示電子メールから画像データの処理形式に関する指示を抽出する電子メール処理手段と、
前記抽出された処理形式に従って指定された画像データを当該処理形式に従って出力するよう加工して得られた出力用画像データを前記画像出力手段に送る画像データ処理手段と
を有することを特徴とする画像形成装置。
【請求項２】
前記通信制御データに含まれるファクシミリ通信データの送信元と関連付けられた電子メールアドレスを格納するための送信テーブルを設けて、
前記確認電子メール作成手段は、前記送信元に基づいて前記送信テーブルを参照して確認電子メールを送信すべき電子メールアドレスを抽出して、確認電子メールを作成することを特徴とする請求項１に記載の画像形成装置。
【請求項３】
前記通信制御データに含まれるファクシミリ通信データの送信元と、当該通信制御データに対応する画像データを前記画像出力手段に送るかあるいは前記記憶手段に送るかに関する情報とを関連付けて格納するための処理テーブルを設けて、
前記データ処理手段は、前記送信元に基づいて前記処理テーブルを参照して、予め指定された送り先に画像データを送ることを特徴とする請求項１に記載の画像形成装置。
【請求項４】
前記確認電子メール作成手段にて、確認電子メールを作成する際に、当該確認電子メールの送信先を任意に指定するための入力手段を設けたことを特徴とする請求項１に記載の画像形成装置。
【発明の詳細な説明】
【０００１】
【発明の属する技術分野】
本発明は、ファクシミリによる通信手順または電子メールによる通信手順に従って受信した通信データに基づいて画像を形成する画像形成装置に関する。
【０００２】
【従来の技術】
従来の通信機器のファクシミリ装置、ファクシミリおよびプリンタ機能を有する複合機においては、ファクシミリや電子メールで受信した画像を受信後自動的にいったんメモリに保存しておき、当該画像形成装置の操作部からの操作により、メモリに画像が取り込まれていることを確認し、必要に応じてハードコピー、すなわちプリントアウトなどの必要な処理を行っていた。
【０００３】
【特許文献１】
特開平１１−８８６４４号公報
【特許文献２】
特開平１０−３２２５３８号公報
【０００４】
【発明が解決しようとする課題】
ところで、上述した従来のファクシミリ機能を有する装置においては、ファクシミリを受信したか否かは、装置のところまで行かないと分からない。
このような状況を改善するため、例えば特開平１１−８８６４４号公報に開示されたように、ファクシミリ装置にそばにいないなどの理由で受信したファクシミリの内容を見ることができない場合に、携帯用端末、例えば携帯用パソコン上で当該受信したファクシミリを受信できるファクシミリ転送方法が提案されている。
【０００５】
この特開平１１−８８６４４号公報によれば、一旦受信したファクシミリを所定のサーバに蓄積して、予め登録された電子メールアドレスに、当該ファクシミリの内容を添付ファイルとして添付した電子メールを送信することでファクシミリの内容の転送が実現できるとするものである。
しかしながら、この方法では、転送先が固定されてしまい、転送先の変更が必要になった場合に、流動的な対応が困難である。
【０００６】
また、ファクシミリの送信者側で転送先を指定して、ファクシミリを自動的に振り分ける方法およびファクシミリ装置が、特開平１０−３２２５３８号公報に開示されている。
この特開平１０−３２２５３８号公報によれば、転送先を特定するために予め登録した識別情報、例えば識別番号を、ファクシミリ送信者が送信情報に含ませて、例えば識別番号をダイヤルし、ファクシミリ受信側でこの識別情報を取り出して、当該識別情報に対応する転送先を特定し、この転送先に受信したファクシミリを転送する所定の形式に対応したファクシミリ装置が提案されている。
【０００７】
しかしながら、ファクシミリ装置が当該形式に対応していないとファクシミリの内容の転送を行うことができないとともに、仮に当該形式に対応したファクシミリ装置を使用したとしても、送信者が所望する転送先の識別情報を知らないとファクシミリの内容の転送が行われない上に、当該転送先の変更が必要になったときに、転送先を変更することが困難である。
【０００８】
そこで、本発明は上述した実情に鑑みてなされたものであり、受信したファクシミリの出力、転送などの所定の処理を、受信側で遠隔操作により指示して行わせるとともに、処理条件の流動的な変更に対応することができる画像形成装置を提供することを目的としている。
【０００９】
【課題を解決するための手段】
本発明に係る画像形成装置は、上述した課題を解決するために、ファクシミリによる通信手順に従って外部装置との通信を行う通信手段と、
前記通信手段で受信された前記外部装置からのファクシミリ通信データを復号化して画像データおよび通信制御データを取り出すデータ処理手段と、
前記画像データ処理手段で得られた画像データを、当該画像データに対応する識別データに対応付けて格納する記憶手段と、
前記画像データに基づいて画像を形成し、出力する画像出力手段と、
前記データ処理手段で通信制御データが得られた際に、予め設定された電子メールアドレスに送信するための、ファクシミリ通信データを受信した旨および画像データの識別データを通知し、当該画像データの処理形式の設定を促す確認電子メールを作成する確認電子メール作成手段と、
前記確認電子メールを所定の外部端末に送信するとともに、該外部端末からの画像データの処理形式に関する指示を含む指示電子メールを受信する送受信手段と、
前記外部端末からの指示電子メールから画像データの処理形式に関する指示を抽出する電子メール処理手段と、
前記抽出された処理形式に従って指定された画像データを当該処理形式に従って出力するよう加工して得られた出力用画像データを前記画像出力手段に送る画像データ処理手段と
を有することを特徴とする。
【００１０】
また、前記通信制御データに含まれるファクシミリ通信データの送信元と関連付けられた電子メールアドレスを格納するための送信テーブルを設けて、
前記確認電子メール作成手段は、前記送信元に基づいて前記送信テーブルを参照して確認電子メールを送信すべき電子メールアドレスを抽出して、確認電子メールを作成することが好ましい。
【００１１】
また、前記通信制御データに含まれるファクシミリ通信データの送信元と、当該通信制御データに対応する画像データを前記画像出力手段に送るかあるいは前記記憶手段に送るかに関する情報とを関連付けて格納するための処理テーブルを設けて、
前記データ処理手段は、前記送信元に基づいて前記処理テーブルを参照して、予め指定された送り先に画像データを送ることが好ましい。
【００１２】
また、前記確認電子メール作成手段にて、確認電子メールを作成する際に、当該確認電子メールの送信先を任意に指定するための入力手段を設けることが好ましい。
【００１３】
【発明の実施の態様】
以下、本発明に係る画像形成装置の実施態様について、図面を参照しながら詳細に説明する。
前記画像形成装置は、図１に示したように、ファクシミリによる通信手順に従って外部装置４２との通信を行う通信手段としてのファクシミリ通信部１２と、前記通信手段で受信された前記外部装置４２からのファクシミリ通信データを復号化して画像データおよび通信制御データを取り出すデータ処理手段としてのデータ処理部１４と、前記画像データ処理手段で得られた画像データを、当該画像データに対応する識別データに対応付けて格納する記憶手段としての画像メモリ１８と、前記画像データに基づいて画像を形成し、出力する画像出力手段としての記録部３４と、前記データ処理手段で通信制御データが得られた際に、予め設定された電子メールアドレスに送信するための、ファクシミリ通信データを受信した旨および画像データの識別データを通知し、当該画像データの処理形式の設定を促す確認電子メールを作成する確認電子メール作成手段としての制御部１６と、前記確認電子メールを所定の外部端末に送信するとともに、該外部端末からの画像データの処理形式に関する指示を含む指示電子メールを受信する送受信手段としてのネットワークインタフェース（ＩＦ）部２２と、前記外部端末からの指示電子メールから画像データの処理形式に関する指示を抽出する電子メール処理手段としてのデータ処理部１４と、前記抽出された処理形式に従って指定された画像データを当該処理形式に従って出力するよう加工して得られた出力用画像データを前記画像出力手段に送る画像データ処理手段としてのデータ処理部１４とを有する。
【００１４】
ファクシミリ通信部１２は、図２に示したように、所定の通信手順に従って通信を行い、外部装置４２から電話回線５０を通じて送られるファクシミリ通信データの受信を行う。
図２は、一般的なファクシミリ装置間の通信プロトコルについて示したものである。
【００１５】
図２において、まず発呼局は、被呼局に対して電話をかけた後、自局がファクシミリの発呼局であることを示すＣＮＧ信号（発呼局識別信号）を相手機に送出する。
また、被呼局は、自局がファクシミリの被呼局であることを示すＣＥＤ信号（被呼端末識別信号）、ＣＳＩ信号（被呼局識別信号）、ＤＩＳ信号（ディジタル識別信号）を相手機に送出する。
【００１６】
発呼局側は、被呼局から送出されたＤＩＳ信号を受けて、相手機がファクシミリ装置であると分かると、ＴＳＩ信号（送信局識別信号）。ＳＵＢ信号（送信サブアドレス識別信号）、ＤＣＳ信号（ディジタルコマンド信号）を送出し、続いて、ＴＣＦ信号（トレーニングチェック信号）を送出する。
被呼局では、ＤＣＳ信号で指定されたモードでトレーニングを行い、結果が良好であれば、ＣＦＲ信号（受信準備確認信号）を送出する。
【００１７】
発呼局では、ＣＦＲ信号を受けて、１頁目の画像信号（ＰＩＸ）を送出し、１頁分の画像データの送出を終えると、ＥＯＰ信号（手順終了信号）を送出する。
被呼局では、ＥＯＰ信号を受けて、１頁分のデータを全て処理完了すると、ＭＣＦ信号（メッセージ確認信号）を送出する。
発呼局では、ＭＣＦ信号を受け、相手機が画像データを受信したと判断し、ＤＣＮ信号（回線切断信号）を送出して回線を切断する。
【００１８】
また、ファクシミリ通信部１２は、受信されたファクシミリ通信データを復号化し、当該画像形成装置にて処理可能なデータに変換した後に、データ処理部１４に送る。また、制御部１６からの指示によって、電話回線５０を通じて外部装置４２にファクシミリを送る。
データ処理部１４は、ファクシミリ通信部１２にて復号化されたデータを受ける。また、ファクシミリ通信部１２からの通信データの解像度、データサイズ、送信元を特定するデータなどの通信制御データは、この復号化されたデータとは別に送られる。
【００１９】
また、データ処理部１４は、前記通信制御データを制御部１６に送る。また、後述する制御部１６からの動作指示、外部端末ＰＣ１などからネットワーク２４、ネットワークＩＦ２２を通じて送られる指示電子メールに含まれる指示に従って、前記画像データを必要に応じて圧縮処理などの処理を行い、画像メモリ１８に送ったり、あるいは前記画像データを画像出力手段としての記録部２４、表示部３６に送る。
【００２０】
制御部１６は、データ処理部１４から通信制御データが送られた時点で、ファクシミリ通信データの受信が行われたと判断し、この通信制御データに対応する画像データにファイル名などの画像データ用の識別データを作成する。また、このファクシミリ通信データを受信した旨およびこの識別データを、知らせる旨の確認電子メールを作成して、ネットワークＩＦ部２２に送る。
【００２１】
さらに、制御部１６は、データ処理部１４にて得られた画像データを画像メモリ１８に蓄積する場合には、データ処理部１４に当該画像データを画像メモリ１８に送るよう指示し、画像メモリ１８には送られる画像データを蓄積するよう蓄積領域を確保する旨の指示を送る。
また、当該画像データを記録部３４または表示部３６にて出力する場合には、データ処理部１４に当該画像データを記録部３４または表示部３６の少なくとも一方に送るよう指示する。
【００２２】
なお、画像メモリ１８、記録部３４または表示部３６のどれに、画像データを送るかは、予め設定しておいてもよいし、必要に応じて操作部３６から入力させて決定させてもよいし、受信したファクシミリ通信データや外部端末ＰＣ１〜ｎからの後述する指示電子メールに含ませてもよい。
また、当該画像データを、ファクシミリ通信データの送信元とは異なる他のファクシミリ装置などの外部装置４２に転送する場合には、データ処理部１４に当該画像データをファクシミリ通信部１２に送るよう指示し、ファクシミリ通信部１２には当該画像データをファクシミリ通信用に符号化し、電話回線５０を通じて外部装置４２に送るよう指示する。
【００２３】
画像メモリ１８は、制御部１６から送られた画像データ蓄積指示に従ってデータ処理部１４から送られる画像データを蓄積する。また、データ処理部１４からの所定の画像データを送り返すよう要求があった場合には、いったん蓄積された画像データの中から当該要求に従って所定の画像データをデータ処理部１４に送る。
【００２４】
ネットワークＩＦ部２２は、当該画像形成装置と、外部端末ＰＣ１〜ｎとを接続するためのインタフェースであり、制御部１６から送られる、ファクシミリ通信データを受信した旨を知らせる確認電子メールを、所定の外部端末にネットワーク２４を通じて送信する。
また、ネットワークＩＦ部２２は、外部端末ＰＣ１〜ｎから送られる指示電子メールを受信し、データ処理部１４にこの電子メールを送る。
【００２５】
ネットワーク２４は、所定のネットワーク、例えばローカルエリアネットワーク（ＬＡＮ）、ワイドエリアネットワーク（ＷＡＮ）などである。
読取部３２は、例えばスキャナなどであり、原稿を読み取って画像データを作成しデータ処理部１４に送る。
記録部３４は、画像データと、出力体裁に関するデータとからジョブデータを作成し、このジョブデータに基づいて紙媒体などに出力する。ここで、出力体裁に関するデータとしては、出力用紙の大きさ、拡大縮小、ステープルの有無などが挙げられ、これらは操作部３８からの入力により決定されてもよいし、予め設定しておいてもよいし、ファクシミリ通信データに含めてもよいし、外部端末からの指示電子メールに含めてもよい。
【００２６】
表示部３６は、前記画像データを表示させるものである。また、操作部３８による操作手順、操作状況なども表示させてもよい。また、記録部３４におけるプリントアウトに先立って、確認のために画像データ内容を表示させてもよい。
操作部３８は、通常の画像形成装置の操作に要求される操作の他に、前記ジョブデータの作成の際に要求される出力の体裁に関わるデータの入力、画像出力を促す操作入力、必要に応じて確認電子メールの作成、送信などのための所定の入力を行うためのものである。操作部３８としては、タッチパネル、キーボード、テンキーなどが挙げられる。なお、操作部３８は、前記確認電子メール作成手段としての制御部１６にて、確認電子メールを作成する際に、当該確認電子メールの送信先を任意に指定するための入力手段として機能することが好ましい。
【００２７】
外部装置４２は、当該画像形成装置のファクシミリ通信部１２と電話回線５０を通じて接続されたファクシミリ装置、コンピュータシステムなどのファクシミリ通信が可能な機器である。
外部端末ＰＣ１〜ｎは、当該画像形成装置のネットワークＩＦ部２２とネットワーク２４を介して接続されたコンピュータシステムなどの電子メールによる通信が可能な機器である。前記確認電子メールを受信した外部端末は、当該確認の対象となっている画像データの処理の方法について指示するコマンドを含む指示電子メールを作成して、ネットワーク２４を介してネットワークＩＦ部２２に送信することができる。
【００２８】
また、図１に示した画像形成装置において、前記通信制御データに含まれるファクシミリ通信データの送信元と関連付けられた電子メールアドレスを格納するための送信テーブルを設けて、前記確認電子メール作成手段としての制御部１６は、前記送信元に基づいて前記送信テーブルを参照して確認電子メールを送信すべき電子メールアドレスを抽出して、確認電子メールを作成することが好ましい。
【００２９】
また、前記通信制御データに含まれるファクシミリ通信データの送信元と、当該通信制御データに対応する画像データを前記画像出力手段である記録部３４に送るかあるいは前記記憶手段である画像メモリ１８に送るかに関する情報とを関連付けて格納するための処理テーブルを設けて、前記データ処理手段としてのデータ処理部１４は、前記送信元に基づいて前記処理テーブルを参照して、予め指定された送り先に画像データを送ることが好ましい。
【００３０】
なお、これら送信テーブルおよび処理テーブルは、図示しないが、例えば制御部１６からアクセス可能なように設けられる。また、これら送信テーブルおよび処理テーブルは、操作部３８による操作によって内容の変更、追加、削除などの更新が行われるのであるが、必要に応じて、所定の権限を有する外部端末など外部から送られる指示、例えば電子メールの内容に基づいて、制御部１６にて更新できるようにすることが好ましい。
【００３１】
通常、確認電子メールの送信先が固定されるなどによって、例えば送信先の外部端末の操作者が該外部端末から離れた場所にいるような緊急の変更にまで対応することが困難である。このように、システムそのものを変更するのではなくて、テーブルの内容を変更、追加、削除などの更新を行うようにすることで、確認電子メールの送信先の変更が容易になり、該操作者が最も都合よい外部端末に当該確認電子メールを送信させることが可能になる。
【００３２】
ここで、前記画像形成装置の動作手順などについて、説明する。図３にフローチャートを示す。
ステップＳ１０では、ファクシミリ通信部１２で外部装置４２からのファクシミリを着信する。
ステップＳ２０では、着信したファクシミリを、本画像形成装置で処理するにあたり、トランザクション番号の取得が可能であるか否かが判別される。
【００３３】
図示しないが、通常ファクシミリ装置は受信情報を、不揮発メモリを設けて蓄積し管理している。このような不揮発メモリの内容は、例えば図４に示したように、各オフセット（Ｏｆｆｓｅｔ）値に対して、内容が付与されたものである。
ファクシミリ通信開始時には、「次に取得する受信トランザクションＮｏ．（番号）」を参照し（オフセット値４）、この参照された番号に相当するオフセット値がすでに他の受信トラザクション番号として用いられたものに相当していないか否かが判別される。なお、図４にあっては、受信トラザクション番号の初期値が１０００であり、最大値が１９９９であり、これに対応するオフセット値は６〜１３０と設定されている。
【００３４】
この判別結果がＮＯ、すなわち参照された当該オフセット値がすでに使用された受信トランザクション番号に相当するものでない場合には、ステップＳ３０に進む。
また、この判別結果がＹＥＳ、すなわちすでに使用されたオフセット値であった場合には、一つ大きなオフセット値に進んで、新しいオフセット値に対応する受信トランザクション番号がすでに使用されているか否かが判別される。この判別結果がＮＯである場合には、ステップＳ３０に進むが、ＹＥＳである場合には、さらに一つ大きなオフセット値に進んで、新しいオフセット値に対応する受信トランザクション番号がすでに使用されているか否かが判別される。
【００３５】
こうして、受信トランザクション番号として割り当てられたオフセット値の最大（図４では１３０）まで順次進み、この最大においてもすでに受信トランザクション番号が使用されている場合には、初期値に対応するオフセット値（図４では６）まで戻り、受信作業終了となり「明き」となった受信トラザクション番号があるかどうか判別される。全てのオフセット値においても受信トラザクション番号がすでに使用されていると判別された場合には、ステップＳ１００に進む。
【００３６】
ステップＳ３０では、最後に判別の対象となったオフセット番号に対応する受信トラザクション番号を、当該ファクシミリ通信についてのトランザクション番号として取得し、ステップＳ４０に進む。
なお、受信トラザクション情報は、図５に示したように、受信トランザクション番号ごとに管理され、ステップＳ３０における受信トラザクション番号の取得によりこの情報も更新される。この受信トランザクション情報は、図５に示したように、受信開始時刻（オフセット値４、５）、受信情報（オフセット値６、７）、受信生成ファイル数（オフセット値８、９）、受信削除ファイル数（オフセット値１０、１１）、送信画像番号（オフセット値１２、１３）などからなるものである。
【００３７】
ステップＳ４０では、ファクシミリ通信部１２によるファクシミリ通信データの受信が行われる。このときの受信にかかるヘッダ情報は、例えば図６に示したような情報である。
また、ステップＳ５０では、当該ファクシミリ通信データをデータ処理部１４にて処理可能なデータに変換するために、ファクシミリ通信部１２による復号化処理が行われる。
【００３８】
ステップＳ６０では、データ処理部１４において、前記復号化処理されたファクシミリ通信データから画像データおよび通信制御データを取り出し、この通信制御データを制御部１６に送り、ステップＳ８０に進む。
ステップＳ８０では、制御部１６から画像メモリ１８に対して、蓄積する画像データの容量を確保するよう画像メモリ１８に指示し、続いてデータ処理部１４に当該画像データを画像メモリ１８に送るよう指示する。当該画像データは、画像メモリ１８にて蓄積される。また、当該画像データを記録部３４にてプリントアウトし、あるいは表示部３６にて画面表示させて、ステップＳ９０に進む。
【００３９】
ステップＳ９０では、画像データの蓄積に伴って、図５に示したような受信時の受信トランザクション情報を作成して、これを管理情報として図４に示した受信管理情報を更新して、ステップＳ１００に進む。
具体的には、図５の先頭から通信時に取得したトランザクションＮｏ．のセット、受信開始時刻は受信開始時に、図示されていない時計からの現在時刻を取り出しこれをセットする。また、受信情報として、ファイル種別として通常受信かメモリ受信かをセットする。また、受信最終ページの紙幅、解像度をセットする。
【００４０】
受信情報は、受信開始時に、および受信中にセットされ、最終ページの受信時に受信済みがセットされる。また、受信生成ファイル数は、受信開始時は０で、１頁受信ごとにインクリメントされる。
また、図４の先頭になるチェックサムを更新する。
ステップＳ１００では、ファクシミリ通信にかかる回線を切断して、ファクシミリ通信動作を終了する。
【００４１】
次に、画像メモリ１８内での画像データの蓄積の方法について説明する。ファイル構造の一例を図７に模式的に示す。
図７においては、ルートディレクトリに「その他」の常駐ディレクトリが設けられた様子が示される。さらに、「通常受信００１」、「通常受信００２」、「通常受信９９９」、「メモリ受信００１」、「メモリ受信００２」、「メモリ受信９９９」の各非常中ディレクトリが設けられている。さらに、これらディレクトリの一階層下に、サブディレクトリが設けられている。例えば、「その他」の常駐ディレクトリには「受信テンポラリ」の非常中ディレクトリ、例えば通常受信００１のディレクトリには画像１〜ｎの各非常駐ディレクトリ、また例えばメモリ受信００１のディレクトリには画像１〜ｎの各非常中ディレクトリがそれぞれ設けられている。
【００４２】
ここで、非常中ディレクトリは、ファクシミリ通信データの受信が行われるとその都度作成されるものであり、常駐ディレクトリは、受信の有無にかかわらず常に設けられるものである。
ファクシミリの着信があり、ファクシミリ通信データが受信されたときには、まず、制御部１６からの指示により画像メモリ１８内の「その他」の常駐ディレクトリの下位に「受信テンポラリ」という非常駐ディレクトリが作成され、データ処理部１４は、ファクシミリ通信部１２で復号化された当該ファクシミリ通信データをこの「受信テンポラリ」の非常駐ディレクトリに送る。
【００４３】
全画像データを当該受信テンポラリに格納した後は、制御部１６からの指示により当該ファクシミリ通信データに識別番号が付与され、画像メモリ１８内に当該識別番号に該当する非常駐ディレクトリ、例えば通常受信００１が作成され、当該非常駐ディレクトリ（すなわち、通常受信００１）に受信テンポラリに一時的に格納されたファクシミリ通信データを移動させる。
【００４４】
このディレクトリ名は、識別番号と、受信モードとを組み合わせたものであり、受信モードには上述のように通常受信モードとメモリ受信モードとがある。
例えば、ファクシミリ通信データを受信してその場で画像出力を行う通常受信モードの場合にあっては、受信され復号化されたファクシミリ通信データは、まず受信テンポラリに格納され、全画像データが格納されたことが確認されたら、例えば通常受信００１に移動し、画像データ単位で画像１〜画像ｎのサブディレクトリにて格納される。
【００４５】
また、例えば、ファクシミリ通信データを受信していったん格納して後に処理を行うメモリ受信モードの場合にあっては、全画像データが格納されたことが確認されたら、例えばメモリ受信００１に移動し、画像データ単位で画像１〜画像ｎのサブディレクトリにて格納される。
続いて、前記制御部１６で作成される。確認電子メールを作成する手順について説明する。
【００４６】
図８に示したように、ステップＳ２１０では、上述のように制御部１６にてファクシミリ通信データの受信を確認して、ステップＳ２２０に進む。ステップＳ２２０では、当該受信されたファクシミリ通信データの送信元を制御部１６にて抽出する。
ステップＳ２３０では、確認電子メールの送信先が予め設定されているか否かが判別される。すなわち、当該送信先としてデフォルトで指定された電子メールアドレスがあるか否か、または所定のファクシミリ送信元に対して所定の電子メールアドレスが当該送信先として指定されているか否かが判別される。
【００４７】
この判別結果がＹＥＳ、すなわち確認電子メールの送信先が予め設定されている場合には、ステップＳ２４０に進む。また、判別結果がＮＯ、すなわち確認電子メールの送信先が予め設定されていない場合には、ステップＳ２５０に進む。
ステップＳ２４０では、例えば前記送信テーブル、または所定のメモリから確認電子メールを送信すべき電子メールアドレスを抽出し、ステップＳ２６０に進む。
【００４８】
ステップＳ２５０では、例えば前記操作部３８による手入力により、確認電子メールを送信すべき電子メールアドレスを入力し、ステップＳ２６０に進む。
ステップＳ２６０では、ファクシミリ通信データを受信したことを所定の外部端末に知らせるための確認電子メールを作成して、ステップＳ２７０に進む。
この確認電子メールは、例えば図８に示したように、ファクシミリ通信データを受信した装置自身の電子メールアドレス（ＭＡＩＬ  Ｆｒｏｍ）、送信先の電子メールアドレス（ＭＡＩＬ  Ｔｏ）、電子メールの内容（ＤＡＴＡ）からなるヘッダ部分１１０、コマンド入力を促す内容を含む本文部分１２０とからなるものである。
【００４９】
図９においては、ヘッダ部分１１０の電子メールの内容として、当該電子メールがファクシミリ通信データの受信通知であること、および「Ｋｏｎｉｋａ＃１」なる装置により作成された電子メールであることが示されている。さらに、保存された画像の画像ファイル名、送信元の電話（ファクシミリ）番号、受信日時、受信ページ数も含まれている。
【００５０】
また、本文部分１２０の内容としては、「ＰＣ転送」モード、「プリント」モード、「転送」モードが用意されており、いずれかのモードを少なくとも一つ選択するよう促す。「ＰＣ転送」モードが選択されると、確認電子メールを受信した外部端末に、ファクシミリ通信データが送信される。また、「プリント」モードが選択されると、当該本文部分１２０での誘導により記入された部数および出力装置に従って、ファクシミリ通信データが出力される。また、「転送」モードが選択されると、当該本文部分１２０での誘導により記入されたファクシミリ番号および／または電子メールアドレスに従って、ファクシミリ通信データが送信される。
【００５１】
各モードの選択は、当該確認電子メールの内容に従って所定の入力を行った後に返信し、あるいは同様の内容の電子メールを作成して送信して、データ処理部１４で当該返信された電子メールを処理して、コマンドを抽出し、制御部１６が当該コマンドに従って各構成を制御することで、実行される。
具体的には、上記「ＰＣ転送」モードが選択されている場合、すなわち返信された電子メールをデータ処理部１４で処理した結果「ＰＣ転送」にかかわるチェック欄（括弧）にチェックがされていると判断された場合には、制御部１６は画像メモリ１８に対してヘッダ部分１１０で示される画像ファイル名を有する画像データをデータ処理部１４に送るよう指示し、データ処理部１４に対して当該送られた画像データを例えばＴＩＦＦファイル形式に変換するよう指示し、あるいは制御部１６にて当該画像データをＴＩＦＦファイル形式に変換し、外部端末としてのＰＣに当該ＴＩＦＦファイルを添付した電子メールを作成し、ネットワークＩＦ部を解して送信する。
【００５２】
また、上記「プリント」モードが選択されている場合、すなわち返信された電子メールをデータ処理部１４で処理した結果「プリント」にかかわるチェック欄（括弧）にチェックがされていると判断された場合には、制御部１６は、このチェック欄直前に数字がある場合にはこの数字を出力部数とするようデータ制御部１４に指示し、データ制御部１４は記録部３４に出力対象となる画像データを送るとともに、その旨を指示する。記録部３４は、この指示に従って、画像データの画像形成、画像出力を行う。
【００５３】
また、上記「転送」モードが選択されている場合、すなわち返信された電子メールをデータ処理部１４で処理した結果「転送」にかかわる入力欄にカンマ、改行などで区切られたスペースに電話番号または電子メールの入力がされていると判断された場合には、制御部１６は、画像メモリ１８に処理の対象となる画像データをデータ処理部１４に送るよう指示する。電話番号の入力がある場合には、制御部１６は、当該画像データをファクシミリ通信部１２に送るようデータ処理部１４に指示し、ファクシミリ通信部１２は当該画像データをファクシミリ通信用に暗号化して、電話回線５０を通じて外部装置４２に送る。また、電子メールの入力がある場合には、制御部１６は、当該画像データを所定のファイル形式、例えばＴＩＦＦファイル形式に変換して、制御部１６に送るようデータ処理部１４に指示し、当該変換後のデータを添付した電子メールを作成して、ネットワークＩＦ部２２を介して、所定の外部端末に当該電子メールを送る。
【００５４】
以上のように、前記画像形成装置によれば、ファクシミリ通信データを受信した際に、確認電子メールにて外部端末にその旨のみを通知し、画像データの送信は行わないので、無用な画像データの送信の必要がなくなる。また、外部端末側では、当該確認電子メールの受信により、所定のコマンドを記載した指示電子メールを返信することで、外部端末からの当該画像データの遠隔処理操作が可能になる。また、確認電子メールの送信先を適宜変更することが可能であるので、外部端末の操作者は、都合のよい端末への送信先の変更が容易になる。
【００５５】
【発明の効果】
本発明によれば、受信したファクシミリの出力、転送などの所定の処理を、受信側で遠隔操作により指示して行わせるとともに、処理条件の流動的な変更に対応することができるようになる。
【図面の簡単な説明】
【図１】図１は、本発明に係る画像形成装置の一実施態様を示すブロック図である。
【図２】図２は、前記実施態様のファクシミリ受信動作を説明する図である。
【図３】図３は、前記実施態様のファクシミリ受信動作時の各構成の動作を説明するフローチャートである。
【図４】図４は、前記実施態様において管理される受信管理情報の一例を説明する図である。
【図５】図５は、前記実施態様において管理される受信トランザクション情報の一例を説明する図である。
【図６】図６は、前記実施態様において受信されるファクシミリ通信データのヘッダ情報の一例を説明する図である。
【図７】図７は、前記実施態様の画像メモリにおけるディレクトリ構造について説明するための図である。
【図８】図８は、前記実施態様で確認電子メールを作成する手順を示すフローチャートである。
【図９】図９は、前記確認電子メールの一例を示す図である。
【符号の説明】
１２  ファクシミリ通信部
１４  データ処理部
１６  制御部
１８  画像メモリ
２２  ネットワークＩＦ部
２４  ネットワーク
３４  記録部
３６  表示部
３８  操作部
４２  外部装置
５０  電話回線
ＰＣ１〜ｎ    外部端末
【図１】
2004172757.tif 000003
【図２】
2004172757.tif 000004
【図３】
2004172757.tif 000005
【図４】
2004172757.tif 000006
【図５】
2004172757.tif 000007
【図６】
2004172757.tif 000008
【図７】
2004172757.tif 000009
【図８】
2004172757.tif 000010
【図９】
2004172757.tif 000011